(57)【要約】【課題】  集水される水の自然排水が可能であると共にカップの外に落ちる氷を受容することができる製氷器用カップ受け台を開示する。【解決手段】  開示された本発明は、所定の空間部を有する受け台本体と、前記受け台本体の上部に置かれる受け台プレートを備え、前記受け台本体の下面には前記空間部に集水された水を外部に排水するための排水口が形成されることを特徴とする。排水口は前記受け台本体の下面の大体中間部に形成され、製氷器に内蔵される排水筒と連結される。また、受け台プレートにはカップの外に落ちる氷片が受け台本体の空間部に入るようにするための氷片より大きいサイズを有する多数の筒孔が形成される。【選択図】      図２
2004309118.tif 000002
【特許請求の範囲】
【請求項１】
氷を投出させるディスペンサー装置の下部に位置して投出される氷を受け取るカップを支持するカップ受け台であって、
所定の空間部を有する受け台本体と、前記本体の上部に置かれる受け台プレートを備え、前記受け台の本体には前記空間部に集水された水を外部に排水するための排水口が形成されることを特徴とする製氷器用カップ受け台。
【請求項２】
前記排水口は前記空間部をなす底面の大体中間部に形成され、製氷器に内蔵される排水筒と連結されることを特徴とする請求項１に記載の製氷器用カップ受け台。
【請求項３】
前記受け台プレートにはカップの外に落ちる氷片が受け台本体の空間部に入るようにするための氷片より大きいサイズを有する多数の筒孔が形成されることを特徴とする請求項１または請求項２に記載の製氷器用カップ受け台。
【発明の詳細な説明】
【技術分野】
【０００１】
本発明は氷片を製造する製氷器に関し、特に、投出口を介して投出される氷片を受け取るカップを支持するように製氷器の本体に着脱自在に設置されるカップ受け台に関する。
【背景技術】
【０００２】
特許文献１においては、製氷トレイに形成された多数の製氷水の溝に製氷水を供給し、蒸発管を配置した製氷板の下面に突出した多数の製氷突起を製氷水内に浸漬させることによって、その製氷突起の周囲に氷が成長するようにして多数の氷片を得る製氷器が開示されている。
【０００３】
図1は、そのような製氷器の外観構造を示したもので、図面において参照符号10は製氷器本体、そして、符号20は前面パネルである。具体的には示されていないが、製氷器本体10の内部には氷片を形成する製氷ユニットと氷片を貯蔵する貯蔵庫が適所に配置されている。前記貯蔵庫においては氷投出口が形成されており、前面パネル20には前記氷投出口を選択的に開放させることによって、氷が投出されるようにするディスペンサー装置30が設置されている。また、ディスペンサー装置30の下部には、投出される氷を受け取るカップ（図示せず）を支持するためのカップ受け台40が前面パネル20に対して着脱自在に設置されている。
【０００４】
カップ受け台40は、所定の空間部を有する受け台本体41及びこの受け台本体41の上部に配置される着脱自在な受け台プレート42からなり、受け台プレート42には複数のスリットが形成されている。このようなカップ受け台40はカップを支持する役割だけでなく、前記氷投出口を介して落ちる水を受けて貯蔵することによって、落とす水が製氷器の周囲に散在しないようにする。一方、カップ受け台40に水が一杯になると、カップ受け台40を製氷器の本体から分離して水を捨てた後、再び装着して使用する。
【０００５】
しかし、前記のような従来の製氷器はカップ受け台40の集水容量が決められているため、周期的にカップ受け台40を製氷器の本体から分離して水を捨てた後、再び装着しなければならないという使用における容易でない点がある。水を周期的に捨てなければカップ受け台に水が一杯になって溢れながら周辺を汚すようになる。
【０００６】
また、従来の製氷器用カップ受け台は、氷の投出時にカップの外に落ちる氷が外側に飛び出しながら周辺を汚す問題もある。
【特許文献１】大韓民国登録特許第２７２８９４号
【発明の開示】
【発明が解決しようとする課題】
【０００７】
本発明は前記のような点を考慮して案出したもので、カップ受け台に集水される水が自然に排水されることによって、カップ受け台の水を捨てるためにカップ受け台を製氷器の本体から分離させる必要がないため、製氷器使用の便利性を図ることができる製氷器用カップ受け台を提供するのにその目的がある。
【０００８】
本発明の他の目的は、カップの外に落ちる氷を受容できるように構造を改善することによって、氷が製氷器の周辺に落ちて発生する周辺の汚染問題を解消することができる製氷器用カップ受け台を提供することにある。
【課題を解決するための手段】
【０００９】
前記目的を達成するための本発明による製氷器用カップ受け台は、所定の空間部を有する受け台の本体と、前記本体の上部に置かれる受け台のプレートを備え、前記受け台本体の下面には前記空間部に集水された水を外部に排水するための排水口が形成されることを特徴とする。
【００１０】
前記排水口は、前記受け台の本体の下面の大体中間部に形成され、製氷器に内蔵される排水筒と連結されるように構成される。
【００１１】
また、前記受け台のプレートにはカップの外に落ちる氷片が受け台の本体の空間部に入るようにするための氷片より大きいサイズを有する多数の筒孔が形成される。
【発明の効果】
【００１２】
このような本発明によれば、カップ受け台に集水された水が排水口を介して外部に自然に排水されるため、カップ受け台に集水された水を捨てるためにカップ受け台を分離し、又は装着する動作を省略することができ、製氷器使用の便利性を図ることができる。
【００１３】
また、氷の投出時にカップの外に落ちる氷片が受け台のプレートの筒孔を通じてカップ受け台の内部に入って貯蔵された後、溶けながら自然に排水されるため、氷が製氷器の周辺に落ちることによって発生する従来のような周辺の汚染を防止することができる。
【発明を実施するための最良の形態】
【００１４】
以下、本発明の望ましい実施例を添付図面に基づいて説明する。参考までに、本発明の実施例を説明するにおいて、従来とその構成及び作用が同一の部分に対しては同一の参照符号を付けて引用する。
【００１５】
図2に示された通り、本発明の一実施例による製氷器用カップ受け台40は、受け台本体41及び受け台プレート42を備える。
【００１６】
前記受け台の本体41は、上部が開放されたボックス形態で構成され、これによって内部には所定の空間部41aが形成される。また、空間部41aの底面、大体中央部には排水口41bが形成される。従って、従来とは異なり空間部41aに集水される水は空間部41aに貯蔵されずに排水口41bを通じて外部に自然に排水される。
【００１７】
受け台プレート42には多数の筒孔42aが形成されているところ、この各筒孔42aは、本発明の特徴によって氷片のサイズより大きなサイズを有する。従って、氷を投出する過程でカップの外に落ちる氷は、筒孔42aを通じて受け台の本体41の内部空間部41aに入って貯蔵される。
【００１８】
前記のように構成される本発明による製氷器用カップ受け台40は、図3及び4から見られるように、前面パネル20のディスペンサー装置30の下部側に着脱自在に設置される。即ち、前面パネル20の下段の両側には一対の保持片21が備えられ、カップ受け台40を支えて支持するようになっており、また、前記一対の保持片21には結合孔21aがそれぞれ形成され、これと対応するカップ受け台40の下面には一対の結合突起40aが形成されて互いに対応結合することによって設置されるようになっている。
【００１９】
前記の通り設置された本発明によるカップ受け台40は、投出される氷を受け取るカップを支持すると共に、氷投出口を通じて落ちる水を集水する役割をする。この時、従来はカップ受け台の内部空間に水が一杯になればこれを使用者が捨てなければならなかったが、本発明においてはカップ受け台40の内部空間に集水された水が排水口４１ｂを通じて自然に排水されるので、カップ受け台の水を使用者が空にしなければならない面倒さがない。また、氷の投出時にカップの外に落ちる氷も従来はそのまま製氷器の外部に飛び出して底に落ちたが、本発明によれば、氷が受け台のプレート42の筒孔42aを通じてカップ受け台の内部空間に入って貯蔵されるので、氷が飛び出すことによって、製氷器の周辺が汚染される問題を解消することができる。
【００２０】
一方、本発明が適用された製氷器において、カップ受け台40を通じて自然排水される水は図3及び図4から見られるように、製氷器の本体10の補助テーブル50に内蔵される排水筒60に排水されて貯水される。図3において符号70は給水筒である。
以上、本発明を本発明の原理を例示するための望ましい実施例について図示し、説明したが、本発明はそのように図示、かつ説明された通りの構成及び作用に限定されるものではない。むしろ添付された特許請求範囲の思想及び範疇を逸脱することなく、本発明に対する多数の変更及び修正が可能であることを当業者らは十分に理解することができるだろう。従って、そのようなすべての適切な変更及び修正と均等物も本発明の範囲に属するものと見做されるべきである。
【産業上の利用可能性】
【００２１】
上述した本発明は、家庭用製氷器や店舗用製氷器だけでなく浄水器等にも用いることができる。
【図面の簡単な説明】
【００２２】
【図１】一般的な製氷器用カップ受け台の構造及びカップ受け台が装着された製氷器を概略的に示した斜視図である。
【図２】本発明の一実施例による製氷器用カップ受け台の構造を示した分解斜視図である。
【図３】図２に示したカップ受け台が装着された製氷器を概略的に示した斜視図である。
【図４】図３においてカップ受け台と排水筒を抜粋して示した斜視図である。
【符号の説明】
【００２３】
１０    製氷器本体
２０    前面パネル
２１    保持片
２１ａ  結合孔
３０    ディスペンサー装置
４０    カップ受け台
４０ａ  結合突起
４１    受け台本体
４１ａ  空間部
４１ｂ  排水口
４２    受け台プレート
４２ａ  筒孔
５０    補助テーブル
６０    排水筒
７０    給水筒
【図１】
2004309118.tif 000003
【図２】
2004309118.tif 000004
【図３】
2004309118.tif 000005
【図４】
2004309118.tif 000006